(57)【特許請求の範囲】
【請求項１】
ユーザー操作により入力された複数の記号を受け付ける受付部と、
前記受付部が受け付けた前記複数の記号を確定する確定部と、
前記確定部が確定した複数の確定記号を表示する表示部と、
前記表示部への接触位置を検出するタッチセンサーと、
表示制御部と
を備え、
前記表示制御部は、ユーザーのダブルタップ操作により前記タッチセンサーが検出した前記接触位置に基づいて前記複数の確定記号の中から少なくとも１つの切替対象記号を特定し、前記切替対象記号の字体が太字表示であるか否かを判定し、前記字体が前記太字表示であると判定した場合に前記字体を標準表示に切り替えて前記表示部に表示させ、前記字体が前記太字表示でないと判定した場合に前記字体を前記太字表示に切り替えて前記表示部に表示させる、入力装置。
【請求項２】
前記表示制御部は、前記接触位置が示す１点に表示された前記確定記号を前記切替対象記号として特定する、請求項１に記載の入力装置。
【請求項３】
前記表示制御部は、前記タッチセンサーが同時に検出した異なる２つの接触位置に基づいて、前記異なる２つの接触位置を結ぶ線分の中点上に表示された前記確定記号を前記切替対象記号として特定する、請求項１又は請求項２に記載の入力装置。
【請求項４】
前記表示制御部は、前記タッチセンサーが同時に検出した異なる２つの接触位置に基づいて、前記異なる２つの接触位置を結ぶ線分上に表示された前記複数の確定記号を前記切替対象記号として特定する、請求項１又は請求項２に記載の入力装置。
【請求項５】
前記表示制御部は、前記タッチセンサーが同時に検出した異なる２つの接触位置に基づいて、前記異なる２つの接触位置を対角とする矩形の領域内に表示された前記複数の確定記号を前記切替対象記号として特定する、請求項１又は請求項２に記載の入力装置。
【請求項６】
前記表示制御部は、前記切替対象記号の中に前記字体を切り替えることが可能な少なくとも１つの前記切替対象記号が含まれるか否かを判別する、請求項１から請求項５のいずれか１項に記載の入力装置。
【請求項７】
前記受付部は、通信によって受信した前記複数の記号を受け付ける、請求項１から請求項６のいずれか１項に記載の入力装置。
【請求項８】
前記複数の記号は、ユーザー名、送信先名、送信先アドレス、ＵＲＬ、電話番号、又はフォルダー名を示す、請求項１から請求項７のいずれか１項に記載の入力装置。
【請求項９】
請求項１から請求項８のいずれか１項に記載の入力装置を備える、電子機器。
【発明の詳細な説明】
【技術分野】
【０００１】
本発明は、入力装置及び電子機器に関する。
【背景技術】
【０００２】
従来の携帯情報端末や画像形成装置に搭載される入力装置として、文書の入力をペン又は表示部に表示されるキーボード（例えば、ソフトウェアキーボード）を用いて行うものが提供されている。ユーザーが入力装置に入力した文字について、文字の編集状態を確定した後にその誤字に気づき修正する状況が考えられる。一度確定した文字を修正するためには、ユーザーは文字の再表示、削除、及び再入力といった煩雑な操作が必要となる。
【０００３】
特許文献１には文字の修正操作の煩雑さを軽減するペン入力装置が開示されている。特許文献１に開示されているペン入力装置によれば、ペン入力した文字の修正、挿入、又は削除といった編集処理を入力時と同様に行う。
【先行技術文献】
【特許文献】
【０００４】
【特許文献１】特開２００１−１４０９６号公報
【発明の概要】
【発明が解決しようとする課題】
【０００５】
しかしながら、特許文献１に記載のペン入力装置において記号（文字）の字体を切り替える（修正する）ためには、ペンによるタップ又はカーソル移動ボタンの押下によって、字体を切り替えたい記号の位置を指定し、更に切り替えたい記号上に正しい字体の記号をペン入力するという、２つの操作が必要となる。従って、字体の修正操作が困難であった。
【０００６】
本発明は上記課題に鑑みてなされたものであり、その目的は、容易に字体を切り替えることができる入力装置及び電子機器を提供することにある。
【課題を解決するための手段】
【０００７】
本発明に係る入力装置は、受付部と、確定部と、表示部と、タッチセンサーと、表示制御部とを備える。前記受付部は、ユーザー操作により入力された複数の記号を受け付ける。前記確定部は、前記受付部が受け付けた前記複数の記号を確定する。前記表示部は、前記確定部が確定した複数の確定記号を表示する。前記タッチセンサーは、前記表示部への接触位置を検出する。前記表示制御部は、ユーザーのダブルタップ操作により前記タッチセンサーが検出した前記接触位置に基づいて前記複数の確定記号の中から少なくとも１つの切替対象記号を特定し、前記切替対象記号の字体を切り替える。
【０００８】
本発明に係る電子機器は、上記に記載の入力装置を備える。
【発明の効果】
【０００９】
本発明に係る入力装置は、表示部に表示された複数の確定記号のうち任意の確定記号に対し、ユーザーのダブルタップ操作に応じて切替対象記号の特定と字体の切り替えとを行う。その結果、ユーザーは記号入力操作の確定後であっても、記号の位置の指定及び記号の入力の手間をかけることなく、表示部に表示された複数の確定記号のうち任意の確定記号の字体を容易に切り替えることができる。
【図面の簡単な説明】
【００１０】
【図１】本発明の実施形態１に係る入力装置を示すブロック図である。
【図２】（ａ）〜（ｅ）は字体切替処理を示す模式図である。
【図３】本発明の字体切替処理を示すフローチャートである。
【図４】（ａ）〜（ｃ）は字体切替処理を示す模式図である。
【図５】（ａ）〜（ｃ）は字体切替処理を示す模式図である。
【図６】（ａ）〜（ｃ）は字体切替処理を示す模式図である。
【図７】（ａ）〜（ｃ）は字体切替処理を示す模式図である。
【図８】本発明の実施形態７に係る画像形成装置を示す模式図である。
【発明を実施するための形態】
【００１１】
以下、図面を参照して本発明による入力装置及び電子機器の実施形態を説明する。ただし、本発明は以下の実施形態に限定されない。なお、図中、同一又は相当部分については同一の参照符号を付して説明を繰り返さない。
【００１２】
（実施形態１）
［基本原理］
図１を参照して、本発明の実施形態１に係る入力装置１０の基本原理を説明する。図１は、本発明の実施形態１に係る入力装置１０を示すブロック図である。入力装置１０は、受付部３０と確定部３２と表示部３４とタッチセンサー３６と表示制御部２０とを備える。
【００１３】
入力装置１０は、例えば、携帯情報端末（例えば、スマートフォン）又は画像形成装置（例えば、複合機）に搭載される。入力装置１０は、記号の入力、通信先の指定、及び機器への各種命令入力の操作に用いられる。記号は、例えば、ひらがな、カタカナ、漢字、並びにアルファベットなどの文字、数字、及びマーク（例えば、アットマーク）を含む。
【００１４】
受付部３０はユーザー操作により入力された複数の記号を受け付ける。具体的には、受付部３０はユーザーによって入力された複数の記号、又は通信によって受信した複数の記号を示す信号を受け付け、表示制御部２０に出力する。複数の記号は、例えば、ユーザー名、送信先名、送信先アドレス、ＵＲＬ、電話番号、及びフォルダー名である。
【００１５】
確定部３２は、受付部３０が受け付けた複数の記号を確定する。確定部３２は、例えば、エンターキーである。具体的には、確定部３２が押下されると、確定部３２は、信号を表示制御部２０に出力する。この信号は、受付部３０によって受け付けられた複数の記号の編集待機状態（例えば、ユーザー名の入力操作中を示す未確定状態）を確定する信号である。
【００１６】
表示部３４は、確定部３２が確定した複数の確定記号を表示する。具体的には、表示部３４は、確定部３２が押下されることによって確定した記号（本明細書において「確定記号」と記載する。）を示す信号が表示制御部２０から入力されることによって、ユーザーが視認できるように確定記号を表示させる。表示部３４は、例えば、液晶パネルである。
【００１７】
タッチセンサー３６は、ユーザーによる表示部３４への接触位置を検出する。具体的には、タッチセンサー３６は、ユーザーが指又はペンで表示部３４をタップした場合に、その接触位置を検出し、接触位置を示す信号を表示制御部２０に出力する。
【００１８】
ユーザーが表示部３４に対しダブルタップ操作を行ったときに、表示制御部２０は、タッチセンサー３６によって出力された接触位置を示す信号に基づいて複数の確定記号の中から少なくとも１つの切替対象記号を特定し、切替対象記号の字体を切り替えて、表示部３４に表示させる。「ダブルタップ操作」とは、ユーザーが表示部３４に対し、一定期間内に略同じ位置を２回タップする操作を示す。「切替対象記号」とは、表示部３４に表示された複数の確定記号のうち、表示制御部２０が、ユーザーのダブルタップ操作による接触位置に基づいて、字体を切り替える記号の対象として特定する任意の確定記号を示す。
【００１９】
本実施形態１によれば、表示部３４に表示された任意の確定記号をユーザーがダブルタップすることにより、タッチセンサー３６が表示部３４への接触位置を検出する。表示制御部２０は、接触位置に基づいて複数の確定記号の中から少なくとも１つの切替対象記号を特定し、字体の切り替えを行う。従って、ユーザーは、入力又は表示された複数の記号の編集状態を確定した後であっても、切替対象記号の位置を指定し更に切替対象記号を再入力するといった手間をかけることなく、複数の確定記号のうち任意の確定記号の字体をダブルタップ操作で容易に切り替えることができる。
【００２０】
［字体の切り替え操作の詳細１］
図１及び図２を参照して、ダブルタップ操作による字体の切り替えの詳細を説明する。図２（ａ）〜（ｅ）は字体切替処理を示す模式図である。図２（ａ）、（ｂ）、（ｃ）、（ｄ）、及び（ｅ）の手順で操作は行われる。図２（ａ）〜（ｅ）を参照して、アルファベットの大文字を小文字に切り替える例、及び小文字を大文字に切り替える例を説明する。
【００２１】
図２（ａ）に示すように、表示部３４には複数の確定記号が表示される。表示部３４には複数の確定記号の例としてアルファベット「ＡＢＣ」が表示される。図２（ａ）において大文字「Ｂ」を囲む実線は、ユーザーが字体を切り替えたい（修正したい）と考える記号が大文字「Ｂ」であることを模式的に表している。
【００２２】
図２（ｂ）に示すように、複数の確定記号「ＡＢＣ」のうち大文字「Ｂ」の字体を小文字「ｂ」に切り替えるために、ユーザーは指でダブルタップ操作を行う。なお、ダブルタップ操作はペンを用いて行うことも可能である。表示部３４に表示される大文字「Ｂ」をユーザーが直接指でダブルタップすることにより、タッチセンサー３６が接触位置４０を検出し、表示制御部２０が複数の確定記号のうち大文字「Ｂ」を切替対象記号として特定し、切替対象記号の字体を小文字「ｂ」に切り替える。
【００２３】
図２（ｃ）は、字体を切り替えた結果を示す。表示部３４には、字体を切り替えた結果として、アルファベット「ＡｂＣ」が表示される。
【００２４】
図２（ｄ）に示すように、複数の確定記号「ＡｂＣ」のうち小文字「ｂ」の字体を大文字「Ｂ」に切り替える場合であっても、図２の（ｂ）に示した操作と同様にユーザーは指でダブルタップ操作を行う。表示部３４に表示される小文字「ｂ」をユーザーが直接指でダブルタップすることにより、タッチセンサー３６が接触位置４０を検出し、表示制御部２０が複数の確定記号のうち小文字「ｂ」を切替対象記号として特定し、切替対象記号の字体を大文字「Ｂ」に切り替える。
【００２５】
図２（ｅ）は、字体を切り替えた結果を示す。表示部３４には、字体を切り替えた結果として、アルファベット「ＡＢＣ」が表示される。
【００２６】
以上、図２（ａ）〜（ｅ）を参照して説明したように、ユーザーはダブルタップ操作のみで、複数の確定記号「ＡＢＣ」のうち大文字「Ｂ」の字体を小文字「ｂ」に切り替えることができ、また同様に、小文字「ｂ」の字体を大文字「Ｂ」に切り替えることができる。したがって、一度確定した記号に対する字体の修正作業が容易である。
【００２７】
また、本実施形態の入力装置１０において、表示制御部２０は、接触位置４０が示す１点に表示された確定記号を切替対象記号として特定する。表示部３４に表示された任意の確定記号をユーザーがダブルタップすることにより、タッチセンサー３６が表示部３４への接触位置４０が示す１点を検出する。表示制御部２０は、１点の接触位置４０に基づいて複数の確定記号の中から１つの切替対象記号を特定し、字体の切り替えを行う。したがって、ユーザーは、複数の確定記号のうち切り替えるべき１つの確定記号の位置を指で容易に特定し、切替対象記号の字体を切り替えることができる。
【００２８】
なお、切り替え可能な字体には、以下の字体を含む。切り替え可能な字体は、例えば、アルファベットの大文字と小文字（例えば、大文字「Ａ」と小文字「ａ」）、捨て仮名でない文字と捨て仮名である文字（例えば、捨て仮名でない文字「つ」と捨て仮名である文字「っ」、捨て仮名でない文字「や」と捨て仮名である文字「ゃ」）、全角文字と半角文字（例えば、全角文字「Ａ」と半角文字「A」、全角文字「サ」と半角文字「サ」、全角記号「３」と半角記号「3」、全角記号「＠」と半角記号「@」）、ひらがな文字とカタカナ文字（例えば、ひらがな文字「あ」とカタカナ文字「ア」）、太字表示の記号と標準表示の記号（例えば、太字表示の「Ｂ」と標準表示の「Ｂ」）である。
【００２９】
「捨て仮名」とは、促音・拗音などを表すのに用いる小さな文字であり、「っ」「ゃ」「ゅ」「ょ」「ィ」「ォ」の類を指す（広辞苑第六版参照）。
【００３０】
字体の切り替えは、双方向の切り替え（例えば、大文字「Ａ」から小文字「ａ」への切り替え、及び小文字「ａ」から大文字「Ａ」への切り替え）を含む。
【００３１】
以上の字体を切り替え可能な字体に含むことにより、ユーザーは、様々な用途で表示される確定記号（例えば、ユーザー名、送信先アドレス、又はＵＲＬ）の字体修正に対し、ダブルタップ操作で容易に対応可能となる。
【００３２】
［字体切替処理］
図１、図２、及び図３を参照して、本発明による入力装置１０の実施形態１における字体切替処理を説明する。図３は、本発明の字体切替処理を示すフローチャートである。図３を参照して説明するように、ステップＳ１００からステップＳ１１２を実行することによって確定記号の字体の切り替えが行われる。図３を参照して、アルファベットの大文字と小文字を切り替える字体の例として説明する。
【００３３】
ステップＳ１００：ユーザーは表示部３４に表示された任意の確定記号をタップする。タッチセンサー３６はタップによる接触位置４０を検出する。表示制御部２０には、タッチセンサー３６から出力された接触位置４０を示す信号が入力される。
【００３４】
ステップＳ１０２：表示制御部２０は、同じ確定記号がダブルタップされたか否かを、タッチセンサー３６から出力される接触位置４０を示す信号に基づいて判定する。表示制御部２０が、同じ確定記号がダブルタップされたと判定した場合（ステップＳ１０２：Ｙｅｓ）、切り替え処理はステップＳ１０４に進む。表示制御部２０が、同じ確定記号がダブルタップされなかったと判定した場合（ステップＳ１０２：Ｎｏ）、表示制御部２０は処理を終了し、字体の切り替えは行われない。
【００３５】
ステップＳ１０４：表示制御部２０は切替対象記号を特定する。具体的には表示制御部２０はダブルタップされた確定記号を切替対象記号として特定する。
【００３６】
ステップＳ１０６：表示制御部２０は切替対象記号の字体に大文字と小文字があるか否かを判定する。表示制御部２０が切替対象記号の字体に大文字と小文字があると判定した場合（ステップＳ１０６：Ｙｅｓ）、切り替え処理はステップＳ１０８に進む。表示制御部２０が切替対象記号の字体に大文字と小文字がないと判定した場合（ステップＳ１０６：Ｎｏ）、表示制御部２０は処理を終了し、字体の切り替えは行われない。
【００３７】
ステップＳ１０８：表示制御部２０は切替対象記号の字体が小文字であるか否かを判定する。表示制御部２０が、切替対象記号の字体が小文字であると判定した場合（ステップＳ１０８：Ｙｅｓ）、切り替え処理はステップＳ１１０に進む。表示制御部２０が、切替対象記号の字体が小文字でないと判定した場合（ステップＳ１０８：Ｎｏ）、切り替え処理はステップＳ１１２に進む。
【００３８】
ステップＳ１１０：表示制御部２０は切替対象記号の字体を大文字に切り替えて、表示部３４に表示させる。これにより表示制御部２０は字体の切り替え処理を終了する。
【００３９】
ステップＳ１１２：表示制御部２０は切替対象記号の字体を小文字に切り替えて、表示部３４に表示させる。これにより表示制御部２０は字体の切り替え処理を終了する。
【００４０】
（実施形態２）
以下、図１及び図４を参照して、本発明の実施形態２について説明する。なお、図１及び図２に示した要素と同一の要素には各々同一の符号を付し、既に説明した共通の部分については、その説明を省略又は簡略化する。
【００４１】
本実施形態では、タッチセンサー３６が異なる２つの接触位置を同時に検出した場合に、表示制御部２０が字体を切り替える方法を説明する。例えば、ユーザーが２本の指を用いて、表示部３４を同時にダブルタップした場合の字体の切り替えが相当する。
【００４２】
［字体の切り替え操作の詳細２］
図１及び図４を参照して、２本の指を用いて同時にダブルタップすることによって字体を切り替える操作の詳細を説明する。図４（ａ）〜（ｃ）は字体切替処理を示す模式図である。図４（ａ）、（ｂ）、及び（ｃ）の手順で操作は行われる。図４（ａ）〜（ｃ）を参照して、アルファベットの大文字を小文字に切り替える例を説明する。
【００４３】
図４（ａ）に示すように、表示部３４には複数の確定記号が表示される。表示部３４には複数の確定記号の例としてアルファベット「ＡＢＣＤＥＦＧ」が表示される。図４（ａ）において大文字「Ｄ」を囲む実線は、ユーザーが字体を切り替えたい（修正したい）と考える記号が大文字「Ｄ」であることを模式的に表している。
【００４４】
図４（ｂ）は、複数の確定記号「ＡＢＣＤＥＦＧ」のうち大文字「Ｄ」の字体を小文字「ｄ」に切り替えるために行うダブルタップ操作を示す。ユーザーは、表示部３４に表示される大文字「Ｄ」が、２本の指の接触位置４１及び接触位置４２を結ぶ線分の中点上に位置するように、２本の指で同時にダブルタップ操作を行う。タッチセンサー３６は異なる２つの接触位置４１及び接触位置４２を同時に検出し、接触位置を示す信号を表示制御部２０に出力する。表示制御部２０は、複数の確定記号のうち、接触位置４１及び接触位置４２を結ぶ線分の中点上に表示された大文字「Ｄ」を切替対象記号として特定し、切替対象記号の字体を小文字「ｄ」に切り替える。
【００４５】
図４（ｃ）は、字体を切り替えた結果を示す。表示部３４には、字体を切り替えた結果として、アルファベット「ＡＢＣｄＥＦＧ」が表示される。
【００４６】
以上、図１及び図４を参照して説明したように、実施形態２によれば、表示制御部２０は、タッチセンサー３６が同時に検出した異なる２つの接触位置（接触位置４１及び接触位置４２）に基づいて、異なる２つの接触位置４１及び接触位置４２を結ぶ線分の中点上に表示された確定記号を切替対象記号として特定する。したがって、表示部３４に表示された確定記号の大きさが小さい場合であっても、２本の指で字体を切り替えたい確定記号の位置を容易に特定し、切替対象記号の字体を切り替えることができる。その結果、記号の大小に左右されずに、ユーザーは容易に記号の字体を切り替えることが可能となる。
【００４７】
（実施形態３）
以下、図１及び図５を参照して、本発明の実施形態３について説明する。なお、図１及び図２に示した要素と同一の要素には各々同一の符号を付し、既に説明した共通の部分については、その説明を省略又は簡略化する。
【００４８】
本実施形態では、タッチセンサー３６が異なる２つの接触位置を同時に検出した場合に、表示制御部２０が字体を切り替える方法を説明する。例えば、ユーザーが２本の指を用いて、表示部３４を同時にダブルタップした場合の字体の切り替えが相当する。
なお、本実施形態は以下に示すとおり、異なる２つの接触位置を結ぶ線分上に表示された複数の確定記号を切替対象記号として特定する点において、実施形態１及び２と異なる。
【００４９】
［字体の切り替え操作の詳細３］
図１及び図５を参照して、２本の指を用いて同時にダブルタップすることによって字体を切り替える操作の詳細を説明する。図５（ａ）〜（ｃ）は字体切替処理を示す模式図である。図５（ａ）、（ｂ）、及び（ｃ）の手順で操作は行われる。図５（ａ）〜（ｃ）を参照して、アルファベットの大文字を小文字に切り替える例を説明する。
【００５０】
図５（ａ）に示すように、表示部３４には複数の確定記号が表示される。表示部３４には複数の確定記号の例としてアルファベット「ＡＢＣＤＥＦＧＨＩＪＫＬＭＮ」が表示される。図５（ａ）において複数の大文字「ＢＣＤＥＦＧ」を囲む実線は、ユーザーが字体を切り替えたい（修正したい）と考える記号が複数の大文字「ＢＣＤＥＦＧ」であることを模式的に表している。
【００５１】
図５（ｂ）は、複数の確定記号「ＡＢＣＤＥＦＧＨＩＪＫＬＭＮ」のうち複数の大文字「ＢＣＤＥＦＧ」の字体を複数の小文字「ｂｃｄｅｆｇ」に切り替えるために行うダブルタップ操作を示す。ユーザーは、表示部３４に表示される複数の大文字「ＢＣＤＥＦＧ」が、２本の指の接触位置４３及び接触位置４４を結ぶ線分上に位置するように、２本の指で同時にダブルタップ操作を行う。タッチセンサー３６は異なる２つの接触位置４３及び接触位置４４を同時に検出し、接触位置を示す信号を表示制御部２０に出力する。表示制御部２０は、複数の確定記号のうち、接触位置４３及び接触位置４４を結ぶ線分上に表示された複数の大文字「ＢＣＤＥＦＧ」を切替対象記号として特定し、切替対象記号の字体を複数の小文字「ｂｃｄｅｆｇ」に切り替える。
【００５２】
図５（ｃ）は、字体を切り替えた結果を示す。表示部３４には、字体を切り替えた結果として、アルファベット「ＡｂｃｄｅｆｇＨＩＪＫＬＭＮ」が表示される。
【００５３】
以上、図１及び図５を参照して説明したように、実施形態３によれば、表示制御部２０は、タッチセンサー３６が同時に検出した異なる２つの接触位置４３及び接触位置４４に基づいて、異なる２つの接触位置４３及び接触位置４４を結ぶ線分上に表示された複数の確定記号を切替対象記号として特定する。したがって、表示部３４に表示された複数の確定記号のうち、ユーザーが切り替えたい対象が複数の確定記号からなる記号列である場合であっても、２本の指でダブルタップ操作を行うことによって、一度に切替対象記号列の字体が切り替わる。その結果、切り替えたい記号列の長短に関わらず、ユーザーは容易に記号列の字体を切り替えることが可能となる。
【００５４】
（実施形態４）
以下、図１及び図６を参照して、本発明の実施形態４について説明する。なお、図１及び図２に示した要素と同一の要素には各々同一の符号を付し、既に説明した共通の部分については、その説明を省略又は簡略化する。
【００５５】
本実施形態では、タッチセンサー３６が異なる２つの接触位置を同時に検出した場合に、表示制御部２０が字体を切り替える方法を説明する。例えば、ユーザーが２本の指を用いて、表示部３４を同時にダブルタップした場合の字体の切り替えが相当する。
なお、本実施形態は以下に示すとおり、異なる２つの接触位置を対角とする矩形の領域内に表示された複数の確定記号を切替対象記号として特定する点において、実施形態１、２、及び３と異なる。
【００５６】
［字体の切り替え操作の詳細４］
図１及び図６を参照して、２本の指を用いて同時にダブルタップすることによって字体を切り替える操作の詳細を説明する。図６（ａ）〜（ｃ）は字体切替処理を示す模式図である。図６（ａ）、（ｂ）、及び（ｃ）の手順で操作は行われる。図６（ａ）〜（ｃ）を参照して、アルファベットの大文字を小文字に切り替える例を説明する。
【００５７】
図６（ａ）に示すように、表示部３４には複数の確定記号が複数行で表示される。（又は、複数の確定記号は１行で表示されていてもよい。）表示部３４には複数の確定記号の例としてアルファベット「ＡＢＣＤＥＦＧＨＩＪＫＬＭＮ」が表示される。図６（ａ）において複数の大文字「ＡＢＣＤＥＦＧＨＩＪＫＬＭＮ」を囲む実線は、ユーザーが字体を切り替えたい（修正したい）と考える記号が複数の大文字「ＡＢＣＤＥＦＧＨＩＪＫＬＭＮ」であることを模式的に表している。
【００５８】
図６（ｂ）は、複数の確定記号「ＡＢＣＤＥＦＧＨＩＪＫＬＭＮ」のうち複数の大文字「ＡＢＣＤＥＦＧＨＩＪＫＬＭＮ」の字体を複数の小文字「ａｂｃｄｅｆｇｈｉｊｋｌｍｎ」に切り替えるために行うダブルタップ操作を示す。ユーザーは、表示部３４に表示される複数の大文字「ＡＢＣＤＥＦＧＨＩＪＫＬＭＮ」が、２本の指の接触位置４５及び接触位置４６を対角とする矩形の領域内に位置するように、２本の指で同時にダブルタップ操作を行う。このとき、複数の大文字「ＡＢＣＤＥＦＧＨＩＪＫＬＭＮ」の一部が矩形枠上に位置していてもよい。タッチセンサー３６は異なる２つの接触位置４５及び接触位置４６を同時に検出し、接触位置を示す信号を表示制御部２０に出力する。表示制御部２０は、複数の確定記号のうち、接触位置４５及び接触位置４６を対角とする矩形の領域内に表示された複数の大文字「ＡＢＣＤＥＦＧＨＩＪＫＬＭＮ」を切替対象記号として特定し、切替対象記号の字体を複数の小文字「ａｂｃｄｅｆｇｈｉｊｋｌｍｎ」に切り替える。
【００５９】
図６（ｃ）は、字体を切り替えた結果を示す。表示部３４には、字体を切り替えた結果として、アルファベット「ａｂｃｄｅｆｇｈｉｊｋｌｍｎ」が表示される。
【００６０】
以上、図１及び図６を参照して説明したように、実施形態４によれば、表示制御部２０は、タッチセンサー３６が同時に検出した異なる２つの接触位置４５及び接触位置４６に基づいて、異なる２つの接触位置４５及び接触位置４６を対角とする矩形の領域内に表示された複数の確定記号を切替対象記号として特定する。したがって、表示部３４に表示された複数の確定記号のうち、ユーザーが切り替えたい対象が複数の確定記号からなる記号列、又は、複数の確定記号からなる複数行の記号列である場合であっても、２本の指でダブルタップ操作を行うことによって、一度に切替対象記号列の字体が切り替わる。その結果、切り替えたい記号列の長短と行数とに関わらず、ユーザーは指定する範囲内の記号列の字体を容易に切り替えることが可能となる。
【００６１】
（実施形態５）
以下、図１及び図７を参照して、本発明の実施形態５について説明する。なお、図１、図２、及び図５に示した要素と同一の要素には各々同一の符号を付し、既に説明した共通の部分については、その説明を省略又は簡略化する。
【００６２】
［字体切り替え可能な切替対象記号の有無の判別］
本実施形態では、タッチセンサー３６によって接触位置が検出された場合に、表示制御部２０が、実施形態１から４のいずれかで示した字体切替処理を行うとともに、切替対象記号の中に字体を切り替えることが可能な少なくとも１つの切替対象記号が含まれるか否かを判別する方法を説明する。
【００６３】
図１及び図７を参照して、同時に２本の指を用いたダブルタップ操作によって複数の切替対象記号を特定した場合に、字体切り替え可能な切替対象記号の有無を判別する方法を説明する。図７は、実施形態３で示したように、異なる２つの接触位置を結ぶ線分上に表示された複数の確定記号を切替対象記号として特定する場合を例に挙げている。図７（ａ）〜（ｃ）は字体切替処理を示す模式図である。図７（ａ）、（ｂ）、及び（ｃ）の手順で操作は行われる。図７（ａ）〜（ｃ）を参照して、複数のひらがな文字列の中に字体切り替え可能な記号が含まれるか否かを判別する方法を説明する。
【００６４】
図７（ａ）に示すように、表示部３４には複数の確定記号が表示される。表示部３４には複数の確定記号の例としてひらがな文字「たちつてと」が表示される。図７（ａ）においてひらがな文字「つ」を囲む実線は、ひらがな文字「たちつてと」のうち字体を切り替えることの可能な記号が「つ」のみであることを模式的に表している。
【００６５】
図７（ｂ）は、複数の確定記号「たちつてと」を切替対象記号として特定するダブルタップ操作を示す。ユーザーは、表示部３４に表示される複数の確定記号「たちつてと」が、２本の指の接触位置４３及び接触位置４４を結ぶ線分上に位置するように、２本の指で同時にダブルタップ操作を行う。タッチセンサー３６は異なる２つの接触位置４３及び接触位置４４を同時に検出し、接触位置を示す信号を表示制御部２０に出力する。表示制御部２０は、複数の確定記号のうち、接触位置４３及び接触位置４４を結ぶ線分上に表示された複数の確定記号「たちつてと」を切替対象記号として特定する。表示制御部２０は、切替対象記号「たちつてと」のうち、切り替えることが可能な切替対象文字は「つ」のみであると判別する。表示制御部２０は、判別情報に基づいて捨て仮名でない文字「つ」の字体を捨て仮名である文字「っ」に切り替えて、表示部３４に表示させる。なお、切替対象記号の中に字体の切り替え可能な記号が含まれていない場合には、表示制御部２０は切替対象記号の字体を切り替えることなく処理を終了する。
【００６６】
図７（ｃ）は、字体を切り替えた結果を示す。表示部３４には、字体を切り替えた結果として、ひらがな文字「たちってと」が表示される。
【００６７】
以上、図１及び図７を参照して説明したように、実施形態５によれば、表示制御部２０は、切替対象記号の中に字体を切り替えることが可能な少なくとも１つの切替対象記号が含まれるか否かを判別する。したがって、ユーザーは表示部に表示された複数の確定記号の中から、切り替え可能な確定記号のみを選択し特定する手間をかけることなく、ダブルタップ操作により容易に字体を切り替えることが可能となる。なお、図７では実施形態３の場合を例に挙げて説明したが、本実施形態の判別方法は実施形態１、２、及び４にも用いることができる。
【００６８】
（実施形態６）
［字体切り替えの優先順位］
更に、図１〜図７を参照して説明した入力装置１０において、あらかじめユーザーは切り替えたい字体の優先順位を設定することができる。例えば、アルファベットの全角の大文字「Ａ」の字体は、通常、小文字「ａ」と半角文字「A」とのいずれかに切り替え得る。あらかじめユーザーは、字体の切り替え優先順位を優先度の高い方から［１］大文字と小文字との切り替え、［２］全角文字と半角文字との切り替え、の順に設定する。その後、表示部３４に確定記号として表示された全角の大文字「Ａ」がユーザーによってダブルタップされれば、表示制御部２０は、予め設定された優先順位に基づいて切替対象記号「Ａ」の切り替え可能な字体を判別する。表示制御部２０は、切替対象記号「Ａ」を半角文字「A」ではなく小文字「ａ」に切り替えて、表示部３４に表示させる。
【００６９】
優先順位の設定例としては、実施形態１で示した字体、つまり、アルファベットの大文字と小文字、捨て仮名でない文字と捨て仮名である文字、全角文字と半角文字、ひらがな文字とカタカナ文字、及び太字表示の記号と標準表示の記号との相互間で、ユーザーの用途に応じて、切り替える字体の優先順位を予め設定しておけばよい。
【００７０】
以上、実施形態６の入力装置１０によれば、表示制御部２０は、予めユーザーが設定する優先順位に応じて字体を切り替える。したがって、ユーザーは切り替え頻度の高い字体を入力装置１０に予め設定しておくことで、いつでもユーザーの使用する頻度の高い字体に容易に切り替えることが可能となる。
【００７１】
（実施形態７）
［電子機器］
図８を参照して、本発明に係る電子機器の一例として画像形成装置を説明する。図８は、本発明の実施形態に係る画像形成装置１００を示す模式図である。画像形成装置１００は、複写機、プリンター、ファクシミリ、又はこれらの機能を兼ね備えた複合機であり得る。
【００７２】
画像形成装置１００は、入力装置１０と画像読取部５０と画像形成部６０とを備える。画像形成部６０は、定着装置１１０、給紙カセット１２０、作像部１３０、トナー補給装置１４０、用紙排出部１５０、及び用紙搬送部１６０を有している。画像形成装置１００は、入力装置１０によって入力された情報に基づいて動作する。例えば、画像形成装置１００は、入力装置１０によって入力されたメールアドレス宛に、画像読取部５０によって読み取られたデータを送信する。画像形成部６０は、画像読取部５０によって読み取られた画像データに基づいて画像を形成する。
【００７３】
給紙カセット１２０には、印刷用の用紙Ｐが収容される。印刷を行う際、給紙カセット１２０内の用紙Ｐは、作像部１３０と定着装置１１０とを経由して用紙排出部１５０から排出されるように、用紙搬送部１６０によって搬送される。
【００７４】
作像部１３０では、トナー像を用紙Ｐに形成する。作像部１３０には、感光体１３１と現像装置１３２と転写装置１３３とが含まれている。
【００７５】
感光体１３１には、例えば、画像読取部５０で生成された原稿画像の電子信号に基づいたレーザーによって静電潜像が形成される。現像装置１３２は現像ローラー１２１を有している。現像ローラー１２１は、感光体１３１にトナーを供給して静電潜像を現像させることで、感光体１３１にトナー像を形成する。トナーは、トナー補給装置１４０から現像装置１３２へ補給される。
【００７６】
転写装置１３３は、感光体１３１に形成されたトナー像を用紙Ｐに転写する。
【００７７】
定着装置１１０では、定着部材１１１と加圧部材１１２とによって用紙Ｐを加熱及び加圧することで、作像部１３０において形成された未定着のトナー像を溶融させて用紙Ｐに定着させる。
【００７８】
図８を参照して、入力装置１０を備える電子機器として画像形成装置１００を用いて説明したが、入力装置１０を備える電子機器は画像形成装置１００に限定されない。例えば、入力装置１０を備える電子機器は、スマートフォン又はタブレットで有り得る。
【産業上の利用可能性】
【００７９】
本発明の入力装置は、タッチパネルを備えた電子機器に好適に用いられる。
【符号の説明】
【００８０】
１０    入力装置
２０    表示制御部
３０    受付部
３２    確定部
３４    表示部
３６    タッチセンサー
４０，４１，４２，４３，４４，４５，４６  接触位置
５０    画像読取部
６０    画像形成部
１００  画像形成装置
１１０  定着装置
１１１  定着部材
１１２  加圧部材
１２０  給紙カセット
１２１  現像ローラー
１３０  作像部
１３１  感光体
１３２  現像装置
１３３  転写装置
１４０  トナー補給装置
１５０  用紙排出部
１６０  用紙搬送部
【図１】
0005973405.tif 000002
【図２】
0005973405.tif 000003
【図３】
0005973405.tif 000004
【図４】
0005973405.tif 000005
【図５】
0005973405.tif 000006
【図６】
0005973405.tif 000007
【図７】
0005973405.tif 000008
【図８】
0005973405.tif 000009